(57)【要約】【課題】従来の遠心型ファンモータに取り付けられているフィルタ部は、ファンモータ外形を形成するユニットケースに対し一体として成形する方法が取られており、フィルタ部には支持部材を用いるため吸込圧損が発生する課題を有していた。【解決手段】フィルタ部を空気抵抗が少ない目が粗いメッシュ状のフィルタとし、脱着機構を設け、ファンモータの空気通路内に流入しファンに付着する埃やゴミの清掃を容易にすることで、吸込圧損が小さくメインテナンスが容易な遠心型ファンモータ駆動装置を実現する。【選択図】図１
2013213479.tif 000002
【特許請求の範囲】
【請求項１】
自動車に搭載される遠心型ファンモータ駆動装置であって、空気通路を形成するとともに外形を形成するユニットケースと、前記ユニットケースの吸込口に配置され、前記吸込口に空気とともに混入される鉛筆の直径程度の大きさの異物を遮断するものでありワイヤーをメッシュ状に配置したフィルタ部と、回転に伴って前記空気通路に空気流を発生するファンと、前記ファンを回転駆動するモータ部とを備えた遠心型ファンモータ駆動装置において、前記フィルタ部を前記ユニットケースから脱着できる脱着機構を備えたことを特徴とする遠心型ファンモータ駆動装置。
【請求項２】
前記フィルタ部の側面は樹脂成形したリングで構成され、前記リングの上面に前記フィルタが取り付けられ、さらに、前記リングの内側上面から内側下面にかけて段状の切り欠きがあり、この切り欠きの底面は前記リングの外側側面と水平になる曲面をなし、前記切り欠きの曲面に前記リングの円周方向の２つのスロープで山形に形成された凸部を有し、前記切り欠きは前記リングの円周上に均等に複数個配置され、前記ユニットケースの吸込口には前記フィルタ部と同形状でリング状のフィルタ取付部があり、このフィルタ取付部の外側側面に四角形の段状の突起部があり、前記段状の突起部には段差を持つ２つスロープで形成された溝が前記段状の突起部の一回り小さな四角形の溝を形成しており、前記２つのスロープの間で段差となる谷形を形成する凹部を有し、前記段状の突起部はリング状に均等に複数個配置し、前記フィルタ部の凸部と前記ユニットケースの凹部が嵌合または外れることにより、前記フィルタ部と前記ユニットケースとの前記脱着機構となる請求項１に記載の遠心型ファンモータ駆動装置。
【請求項３】
前記フィルタ取付部の四角形の段状の突起部とこの段状の突起部の前記溝により、回り止め機構として前記リングの円周方向の壁面と、抜け止め機構として前記リングの円周方向に対し垂直方向の壁面とを形成し、前記山形の凸部の頂上部と前記凹部のスロープが互いに摺動しながら樹脂の弾性により変形し、前記凸部と前記凹部が嵌合する請求項２に記載の遠心型ファンモータ駆動装置。
【発明の詳細な説明】
【技術分野】
【０００１】
本発明は、車載用のファンモータの吸込口に配置するフィルタの脱着機構を具備してなる遠心型ファンモータ駆動装置に関する。
【背景技術】
【０００２】
遠心型ファンモータ駆動装置は、一般的に、自動車用空調（電装用空調）、機器冷却および換気産業において空調要素を通して強制的な空気流を導くために使用されている。
【０００３】
車載用の遠心型ファンモータ駆動装置は、吸入口の圧力損失が少なく、さらに、軽量化、小型化、低コスト化することが要望されている。
【先行技術文献】
【特許文献】
【０００４】
【特許文献１】特開２００４−２５１２１１号公報
【特許文献２】特開２００８−２４０７２６号公報
【発明の概要】
【発明が解決しようとする課題】
【０００５】
近年、電装分野に用いられ、車内の電動化が進むにつれその需要が大きくなってきた遠心型ファンモータ駆動装置は、フィルタを装着するものとして、吸入口の圧力損失が少なく、さらに小型軽量化およびメンテナンス性向上やコストダウンの要求が強い。
【０００６】
吸入口に直接フィルタを配置する遠心型ファンモータ駆動装置は、ファンモータへの直接の異物の混入を防ぐことができる利点もあるが、空気中の細かい埃までも防ぐ布状のフィルタを付ける場合、そのフィルタをある程度の太さを持った支持部材を配置する必要があり、その支持部材やフィルタにより大きな吸込圧損が発生する（例えば、特許文献１参照）。
【０００７】
また、従来、遠心型ファンモータ駆動装置において、ユニットケースの空気通路内に流入される空気を濾過するためのフィルタはユニットケースに一体にフィルタ部を形成しそれを固定する構成が多く取られている。
【０００８】
一般的にそのようなユニットケースは、吐出口（吹出口）を２分するような、ファンモータの回転軸を垂直に切るような形状で、ファンモータの吸込口側のケーシングと、その反対側のケーシングとを合わせるような組み立て方で、２つケーシングを合わせファンモータの外形となるユニットケースを形成するものが多い（例えば、特許文献２参照）。
【０００９】
しかし、このようなフィルタが一体となった遠心型ファンモータ駆動装置は、前述のようにフィルタ部に支持部材を用いるため吸込圧損が発生する。
【００１０】
また、ファンに付着した汚れなどを掃除する場合、前述のようにユニットケースを分解するとファン、モータ部などを組み直す必要があり、分解するのに著しく作業性が悪いといった課題を有していた。
【００１１】
本発明は、前記従来の課題を解決するもので、吸込圧損が少なく、またファンモータを破壊するような異物が混入するのを防止する遠心型ファンモータ駆動装置を提供するものである。
【課題を解決するための手段】
【００１２】
前記従来の課題を解決するために本発明は、比較的大きい異物の混入を防ぐための、ファンの羽根部を損傷するような大きな異物のみ混入を防止する圧力損失の少ない細く強度のある樹脂ワイヤーをラケットのように格子状つまりメッシュ状に張ったフィルタを用いて、そのフィルタを通り抜け羽根部などに付着する一般的な鉛筆の直径以下の小さな埃やゴミの異物は、フィルタ部のみを脱着できる簡素な機構を用いることで、フィルタ部を簡単に外し清掃することでメンテナンス性を向上させコストダウンを図ることを可能とした遠心型ファンモータ駆動装置を実現することを目的とする。
【００１３】
本発明は、フィルタ部のみを脱着できる簡素な機構を実現するため、ユニットケースの樹脂製のリング状の吸入口に複数個の回り止めおよび抜け止め機構を形成し、また、フィルタ部にも樹脂製のリング形状を形成し、前記リング形状内側側面の円周上に均等に配置された複数個の突起を形成した構成とすることによる、フィルタ部に脱着機構がある遠心型ファンモータ駆動装置を提供することを目的とする。
【発明の効果】
【００１４】
本発明によれば、フィルタ部で比較的大きな異物の混入を防ぐことでファンの破壊を防止し、ユニットケースに複数個形成された回り止めおよび抜け止め機構とフィルタ部の突起が嵌合することで、フィルタ部の脱落を防止すると共に、フィルタ部の脱着機構を簡素化し、繰り返しフィルタ部の脱着を可能とすることにより、ユニットケースの空気通路内に流入し、ファンに付着する埃やゴミの清掃を容易にするという効果を得ることができる。
【図面の簡単な説明】
【００１５】
【図１】（ａ）本発明の実施の形態１に掛る遠心型ファンモータ駆動装置の斜視図（ｂ）本発明の実施の形態１に掛る遠心型ファンモータ駆動装置の分解図
【図２】（ａ）ユニットケース回り止めおよび抜け止め機構の拡大図（ｂ）ユニットケース回り止めおよび抜け止め機構の断面図
【図３】（ａ）フィルタ部の斜視図（ｂ）フィルタ部の分解図
【図４】フィルタ部リング形状の上面図
【図５】フィルタ部突起を示す断面図
【図６】（ａ）ユニットケース回り止めおよび抜け止め機構とフィルタ部突起の挿入を示す断面図（ｂ）ユニットケース回り止めおよび抜け止め機構とフィルタ部突起の嵌合を示す断面図
【発明を実施するための形態】
【００１６】
以下、本発明に係る遠心型ファンモータ駆動装置の好適な実施の形態について添付の図面を参照しながら説明する。
【００１７】
（実施の形態１）
図１において遠心型ファンモータ駆動装置は、空気通路を形成するユニットケース１と、前記ユニットケース１の吸込口２に配置され、前記吸込口２に吸入される空気を濾過するフィルタ部３と、回転に伴って前記空気通路内に空気流を発生するファン４と、前記ファン４を回転駆動するモータ部５とにより構成される。
【００１８】
図１のようにユニットケース１は、フィルタ部３の取付側とモータ部５の取付側の２部品で構成され、吐出口１０を２分割するようなユニット構造となっている。
【００１９】
図２において、前記ユニットケース１には前記吸込口２の外側にフィルタ部３を吸込口
２の上面から嵌め込み、円周方向にフィルタ部３を吸込口２へ摺動させ、さらに嵌め込むことにより、固定する構造となっている。図２は回り止めおよび抜け止め機構６を示したものである。
【００２０】
図１のようにユニットケース１の吸込口２の形状は、フィルタ部３を嵌め込むためにフィルタ部３と同形状でリング状のフィルタ取付部がある。図２の回り止めおよび抜け止め機構拡大図に示しているように、前記フィルタ取付部の外側側面に四角形の段状の突起部がある。この段上の突起部により回り止めおよび抜け止め機構６の壁面１１がＬ字状に壁を形成されている。吸込口２の円周方向の壁面１１の壁は、フィルタ部３が吸込口上面方向に対し、抜け止め機構の役目をしている。図２に記載のユニットケースの回り止めおよび抜け止め機構６の断面図が図６に記載されている。図６のように前記段状の突起部には段差を持つ２つスロープで形成された溝が、図２に示されるように前記段状の突起部の一回り小さな四角形の溝を形成している。図６に示されるように前記２つのスロープの間で段差となる谷形を形成する凹部を有しており、この凹部が回り止めおよび抜け止め機構６の回り止め機構の役目をしている。
また、前記段状の突起部は吸込口２の円周形状に均等に複数個配置している。
【００２１】
図３から図５において、また、前記フィルタ部３にはリング形状７を形成し、前記リング形状７の上面に吸込口２に吸入される空気を濾過するメッシュ８が取り付けられ、さらに、リング形状７の内側円周に対し均等に複数個の突起９が形状されている。
【００２２】
図３はフィルタ部３の構成を示している。フィルタ部３の側面は樹脂成形したリング形状７で構成され、リング形状７の上面にフィルタであるメッシュ８が取り付けられている。さらに、リング形状７の内側上面から内側下面にかけて段状の切り欠きがあり、この切り欠きの底面は前記リングの外側側面に水平となる曲面をなしている。その前記曲面の上に突起９が形成されている。
【００２３】
図４はリング形状７を上面から見た図である。図５のフィルタ部３の側面の断面形状からわかるようにリング形状７の上側端部の断面がＬ字状になっており、リング形状７の上面端部がメッシュ８を取付けやすいようにリング側面が内側へ直角に曲がったＬ字状の端面を形成している。図４はリング形状７の上部端面の形状を見たものであり、また、リング形状７の前記段状の切り欠き部分を前記端面の中央に示したものである。前記段状の切り欠きは、リング形状７の上面端部を貫いており、そのため、リング形状７の上面からは略四角形状の切り抜きとして見える。前記切抜きから見えるのは突起９であり、突起９の底面からリング形状７の外側側面までの距離はリング形状７の前記段状の切り欠きの厚みとなっている。また、前記略四角形状の抜きの突起９に対向している面から、リング形状７の外側側面までの距離は、図５で示されているリング形状７の断面の厚みとなっている。
【００２４】
図４で示されるように突起９の断面は三角形状の突起状の形状をしており、図５はリング形状７の中心方向から見た突起９の形状を示している。この突起９の形状は前記段状の切り欠きの曲面に前記リングの円周方向の２つのスロープで山形に形成された凸部となっている。前記段状の切り欠きはリング形状７の円周上に均等に複数配置されているため、前記段状の切り欠きに設けられた突起９も同様に均等に複数配置している。
【００２５】
メッシュ８は、複数の細い樹脂製のワイヤーを編みこんでラケットのように格子状つまりメッシュ状に張ることで形成され、図３のフィルタ部３に示すようにリング形状７の吸込口２の全域に配置されるものであり、外部からの鉛筆の直径以上の異物がファン４と接触を防ぐためにメッシュ８はリング形状７と一体成形されフィルタ部３を構成したものである。
【００２６】
この遠心型ファンモータ駆動装置は、ファン４が回転駆動されることによって、外気が吸込口２からファン４の内側に吸引され、ファン４の外側へファン４の回転とともに圧送される。ファン４の外側へ圧送された空気は、ユニットケース１の内部の壁に沿って吐出口１０に導かれ、その吐出口１０から電池などを搭載した車両用ユニット内に吹き出される。
【００２７】
本実施例では、ユニットケース１の吸込口２の外側にある複数個の回り止めおよび抜け止め機構６は、吸込口２の空気吸込方向から見た形状が３分割を呈するように配置されたものであり、３分割を呈した回り止めおよび抜け止め機構６は、回り止め機構には壁面１１を持たせ、前述のように回り止めおよび抜け止め機構６には壁面１１の吸込口２の円周方向に任意の距離ｂの幅を持たせたことを特徴としている。
【００２８】
また、フィルタ部３のリング形状７の内側にある複数個の突起９は、吸込口２の空気吸込方向から見た円形状が円周を３分割するように配置されたものであり、任意の距離ｃの幅の切り欠きを持たせたことを特徴としている。
【００２９】
図６は本発明の実施の形態１に掛るユニットケース回り止めおよび抜け止め機構とフィルタ部の突起の挿入から嵌合を示す断面図である。
【００３０】
この図６に示されるように、回り止めおよび抜け止め機構６の前記壁面１１にある任意の距離ｂの幅に対して、フィルタ部３にある切り欠きの任意の距離ｃの幅を広く持たせることで、ユニットケース１にフィルタ部３を吸込口２の上方向から挿入することが可能となる。
【００３１】
次に、回り止めおよび抜け止め機構６と突起９が嵌合する位置まで回転させ、フィルタ部３を固定する。
【００３２】
上述したように、本実施例の遠心型ファンモータ駆動装置は、フィルタ部を空気抵抗が少ない目が粗いメッシュ状のフィルタとし、脱着機構を設け、ファンモータの空気通路内に流入しファンに付着する埃やゴミの清掃を容易にすることで、吸込圧損が小さくメインテナンスが容易であるという効果を得ることができる。
【００３３】
本実施例では、ユニットケース１の吸込口２の外側にある複数個の回り止めおよび抜け止め６は、吸込口２の空気吸込方向から見た形状が３分割を呈するように配置した例で効果を説明したが、複数個の回り止めおよび抜け止め６は少なくとも２個または４個以上としたとしても上記と同様の効果を得ることは言うまでもない。
【産業上の利用可能性】
【００３４】
冷却用ブロワモータ等、メンテナンス性の向上、低コスト化が要求される車両用送風装置等に用いられる遠心型ファンモータ駆動装置に有用である。
【符号の説明】
【００３５】
１  ユニットケース
２  吸込口
３  フィルタ部
４  ファン
５  モータ部
６  回り止めおよび抜け止め機構
７  リング形状
８  メッシュ
９  突起
１０  吐出口
１１  壁面
【図１】
2013213479.tif 000003
【図２】
2013213479.tif 000004
【図３】
2013213479.tif 000005
【図４】
2013213479.tif 000006
【図５】
2013213479.tif 000007
【図６】
2013213479.tif 000008